(57)【要約】【課題】  ボックスを壁面の凹部に固定する構成であっても見栄えの低下をなくす。【解決手段】  前面が開口状態の箱状のボックス４の開口周縁部に壁面１と面一状態で壁面１に当接する当接部６を設け、当接部６を壁面１と面一にした状態でボックス４を壁面１の凹部２に固定し、配電機器が設けられる内器１１をボックス４に固定し、当接部６を含めて内器１１の表面を覆うカバー１７を供え、当接部６を壁面１に当接させることにより、壁面１と面一にされた状態でボックス４を壁面１の凹部２に固定する。【選択図】  図６
2006340495.tif 000002
【特許請求の範囲】
【請求項１】
前面が開口状態の箱状のボックスの開口周縁部に壁面と面一状態で壁面に当接する当接部を設け、当接部を壁面と面一にした状態でボックスを壁面の開口部に固定し、配電機器が設けられる内器をボックスに固定し、当接部を含めて内器の表面を覆うカバーを供えたことを特徴とする埋込型分電盤。
【請求項２】
請求項１において、内器のボックスへの固定部は、当接部が設けられていない部位のボックスに固定される位置に備えられていることを特徴とする埋込型分電盤。
【請求項３】
請求項１または２において、当接部には壁面に固定される固定部が設けられ、当接部の固定部を壁面に固定することでボックスが壁面の開口部に固定されることを特徴とする埋込型分電盤。
【発明の詳細な説明】
【技術分野】
【０００１】
本発明は、住宅や店舗等の壁面に埋め込み配置される埋込型分電盤に関する。
【背景技術】
【０００２】
住宅や店舗等に使用される分電盤には主ブレーカーや分岐ブレーカー等の配電機器が備えられ、分電盤には壁面に埋め込み配置される埋込型分電盤が知られている。埋込型分電盤は、金属製のボックスが壁面の凹部に固定され、ボックスに対して主ブレーカーや分岐ブレーカー等の配電機器が備えられた内器が取り付けられる。そして、主ブレーカーや分岐ブレーカー等の操作スイッチの部位が開口状態とされたカバーにより前面が覆われるようになっている。
【０００３】
埋込型分電盤においては、ボックスの前面側の面と壁面とが面一になるように固定されるようになっている。ボックスの前面側の面が壁面から突出して固定されると、カバーを取り付けられた際に隙間が生じる虞があった。また、ボックスの前面側の面が壁面から沈み込んだ状態で固定されると、内器のボックスへの固定部に壁面との間で無理な力が生じて内器が湾曲する虞があった。
【０００４】
このような埋込型分電盤では、従来から、壁面の開口に対して見栄えが悪くならないように様々な工夫がされている（例えば、特許文献１参照）。しかし、見栄えの低下を抑制する工夫がされている従来の技術では、ボックスに主ブレーカーや分岐ブレーカー等の配電機器が一体に設けられたものであり、ボックスを壁面に固定した後に内器をボックスに取り付けるものではない。
【０００５】
このため、ボックスを壁面に固定した後に内器をボックスに取り付けた構成の埋込型分電盤において見栄えが悪くならないようにする技術は確立されていないのが現状であった。
【０００６】
【特許文献１】特開平９−７０１０９号公報
【発明の開示】
【発明が解決しようとする課題】
【０００７】
本発明は上記状況に鑑みてなされたもので、ボックスを壁面の凹部に固定する構成であっても見栄えが低下することが無い埋込型分電盤を提供することを目的とする。
【課題を解決するための手段】
【０００８】
上記目的を達成するための本発明の第１の態様は、前面が開口状態の箱状のボックスの開口周縁部に壁面と面一状態で壁面に当接する当接部を設け、当接部を壁面と面一にした状態でボックスを壁面の開口部に固定し、配電機器が設けられる内器をボックスに固定し、当接部を含めて内器の表面を覆うカバーを供えたことを特徴とする埋込型分電盤にある。
【０００９】
本発明の第１の態様では、当接部を壁面に当接させることにより、壁面と面一にされた状態でボックスが壁面の開口部に固定され、ボックスを壁面の凹部に固定する構成であっても見栄えが低下することがない。
【００１０】
本発明の第２の態様は、第１の態様において、内器のボックスへの固定部は、当接部が設けられていない部位のボックスに固定される位置に備えられていることを特徴とする埋込型分電盤にある。
【００１１】
本発明の第２の態様では、既存の内器の構造を変更することなくボックスに固定することができる。
【００１２】
本発明の第３の態様は、第１または２の態様において、当接部には壁面に固定される固定部が設けられ、当接部の固定部を壁面に固定することでボックスが壁面の開口部に固定されることを特徴とする埋込型分電盤にある。
【００１３】
本発明の第３の態様では、当接部を壁面に固定することでボックスを壁面に固定でき、ボックスの壁面への固定作業が容易となる。
【発明の効果】
【００１４】
本発明の埋込型分電盤は、ボックスを壁面の凹部に固定する構成であっても見栄えの低下をなくすことが可能になる。
【発明を実施するための最良の形態】
【００１５】
図面に基づいて本発明の埋込型分電盤の一実施形態例を説明する。
【００１６】
図１には本発明の一実施形態例に係る埋込型分電盤のボックスを壁面に固定した状態の正面視、図２には図１中の断面、図３には内器を取り付けた状態の正面視、図４には図３中の断面、図５にはカバーを被せた状態の正面視、図６には図５中の断面を示してある。また、図７には他の実施形態例に係るボックスの取り付き状況を表す断面、図８、図９にはボックスが面一にならない場合のボックスの取り付き状況を表す断面を示してある。
【００１７】
図１、図２に示すように、壁面１には埋込型分電盤（図５、図６参照）が設置される凹部２が設けられ、凹部２は壁の裏面に配される角材３の間に形成されている。凹部２には鉄製のボックス４が固定される。ボックス４は前面が開口状態の箱状とされ、ボックス４の開口部５の四隅の周縁部（開口周縁部）には矩形板片状の当接部６が開口部５の外側に配されている。当接部６は壁面１と面一状態で壁面１に当接し、また、当接部６には壁面１に固定される固定部としてのねじ穴７が設けられている。
【００１８】
当接部６を壁面１と面一状態で壁面１に当接させ、ねじ穴７に固定ねじ８を取り付けて壁面１（角材３）にねじ込むことによりボックス４が壁面１の凹部２に固定される。このため、ボックス４の壁面１への固定作業が容易となる。
【００１９】
尚、図７に示すように、ボックス４の凹部２の配される側壁部位に固定ねじ８を取り付けて壁面１（角材３）にねじ込むことによりボックス４を壁面１の凹部２に固定することも可能である。
【００２０】
図３、図４に示すように、ボックス４には内器１１のベース板１２の両端縁部１３が取付ねじ１４により固定され、ベース板１２には主ブレーカー１５や分岐ブレーカー１６等の配電機器が備えられている。ベース板１２の両端縁部１３は当接部６が設けられていない部位のボックス４に固定されている。当接部６が設けられていない部位のボックス４にベース板１２の両端縁部１３を備えたので、既存の内器１１の構造を変更することなく内器１１をボックス４に固定することができる。
【００２１】
尚、ボックス４の当接部６とベース板１２の両端縁部１３を同じ位置に設け、ボックス４の壁面１への固定と内器１１のボックス４への固定を一つの固定手段により行うことも可能である。
【００２２】
そして、図５、図６に示すように、ボックス４の当接部６を含めて内器１１の表面は、主ブレーカー１５や分岐ブレーカー１６のスイッチ部位を除いてカバー１７で覆われ、埋込型分電盤２０が構成されている。
【００２３】
上記構成の埋込型分電盤２０は、当接部６を壁面１に当接させることにより、壁面１と面一にされた状態でボックス４が壁面１の凹部２に固定される。このため、カバー１７を被せた場合に隙間が生じることがなく、ボックス４を凹部２に固定する構成であっても見栄えが低下することがない。
【００２４】
因みに、図８に示すように、ボックス４が壁面１に対して突出した状態で固定されると、カバー１７を被せた際に壁面１とカバー１７との間に隙間Ｓが発生して、見栄えの低下を招いてしまう。また、図９に示すように、ボックス４が壁面１に対して沈み込んだ状態で固定されると、内器１１のベース板１２の両端縁部１３を取付ねじ１４でボックス４に締め付けた際に、両端縁部１３の端部が浮き上がり全体が凹状態に湾曲してしまい、見栄えの低下を招いてしまう。
【００２５】
図７に示すように、上述した埋込型分電盤２０は、ボックス４を壁面１の凹部２の角材３に直接固定する構成であっても、ボックス４が壁面１に対して面一に固定されるので、カバー１７に隙間が発生したり、内器１１が湾曲することがなく、見栄えの低下をなくすことが可能になる。
【産業上の利用可能性】
【００２６】
本発明は、住宅や店舗等の壁面に埋め込み配置される埋込型分電盤の産業分野で利用することができる。
【図面の簡単な説明】
【００２７】
【図１】本発明の一実施形態例に係る埋込型分電盤のボックスを壁面に固定した状態の正面図である。
【図２】図１中の断面図である。
【図３】内器を取り付けた状態の正面図である。
【図４】図３中の断面図である。
【図５】カバーを被せた状態の正面図である。
【図６】図５中の断面図である。
【図７】他の実施形態例に係るボックスの取り付き状況を表す断面図である。
【図８】ボックスが面一にならない場合のボックスの取り付き状況を表す断面図である。
【図９】ボックスが沈み込んだ状態のボックスの取り付き状況を表す断面図である。
【符号の説明】
【００２８】
１  壁面
２  凹部
３  角材
４  ボックス
５  開口部
６  当接部
７  ねじ穴
８  固定ねじ
１１  内器
１２  ベース板
１３  両端縁部
１４  取付ねじ
１５  主ブレーカー
１６  分岐ブレーカー
１７  カバー
２０  埋込型分電盤
【図１】
2006340495.tif 000003
【図２】
2006340495.tif 000004
【図３】
2006340495.tif 000005
【図４】
2006340495.tif 000006
【図５】
2006340495.tif 000007
【図６】
2006340495.tif 000008
【図７】
2006340495.tif 000009
【図８】
2006340495.tif 000010
【図９】
2006340495.tif 000011